(57)【要約】  【課題】  コンパクトな構成と耐衝撃性を兼ね備えながらも、高画質な画像を得ることができる撮像装置を提供する。  【解決手段】  機械式シャッタ装置を設けることで、固体撮像素子８としてインターレース走査式のＣＣＤを採用でき、それにより撮像装置の小型化を図れるとともに、機械式シャッタ装置を鏡筒１側に固定することで、駆動機構により駆動される撮像レンズ等の質量を減少させることで、駆動機構の小型化及び低消費電力化を図り、且つ撮像レンズ等の質量減少による耐衝撃性向上も期待できる。【選択図】    図１
2005156649.tif 000002
【特許請求の範囲】
【請求項１】
固体撮像素子と、
鏡筒と、
前記鏡筒内に移動可能に保持され、最も物体側に配置された開口絞りを含む撮像レンズと、
前記撮像レンズを、前記鏡筒に対して光軸方向に駆動する駆動機構と、
前記鏡筒に固定された機械式シャッタ装置と、を有することを特徴とする撮像装置。
【請求項２】
前記機械式シャッタ装置は、前記開口絞りに隣接して、外光の通過を許容する開放位置と、外光の通過を阻止する遮蔽位置との間を移動自在なシャッタ羽根を有することを特徴とする請求項１に記載の撮像装置。
【請求項３】
前記撮像装置の光路内に、光透過率を変更する変更部材を出し入れ可能な光透過率調整手段を有することを特徴とする請求項１又は２に記載の撮像装置。
【請求項４】
前記撮像レンズは、全てのレンズがプラスチック材料から形成されていることを特徴とする請求項１乃至３のいずれかに記載の撮像装置。
【発明の詳細な説明】
【技術分野】
【０００１】
本発明は、携帯端末などに搭載可能な小型の撮像装置に関する。
【背景技術】
【０００２】
近年、ＣＣＤ（Ｃｈａｒｇｅｄ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の固体撮像素子を用いた撮像装置の高性能化、小型化に伴い、撮像装置を備えた携帯電話やＰＤＡ（Ｐｅｒｓｏｎａｌ  Ｄｉｇｉｔａｌ  Ａｓｓｉｓｔａｎｔｓ）が普及しつつある。また、これらの撮像装置に搭載される撮像レンズには、さらなる小型化への要求が高まっている。
【０００３】
ここで、従来の小型の撮像装置は、一般的な民生用デジタルカメラに用いられているような機械式シャッタ装置やＡＦ機構を有しておらず、また搭載されている固体撮像素子の画素数も比較的低いことから、小型化の困難性については問題となることはなかった（非特許文献１，特許文献１参照）。
【非特許文献１】「光学」、日本光学会（応用物理学会）発行、Ｖｏｌ３１，Ｎｏ．９（２００２）、６８７−６８９ｐｐ
【特許文献１】特開２００３−３７７５８号公報
【発明の開示】
【発明が解決しようとする課題】
【０００４】
ところが、最近は、撮像装置の小型化への要求に加えて高画質化といった要求もある。ここで、高画質化に対する要求に対して、まず固体撮像素子の画素数を増大させることが考えられる。しかるに、従来用いられているプログレッシブ走査式のＣＣＤの場合には、全画素の信号を一度に読み出せるから機械式シャッタ装置が不要という特徴があるものの、画素数に応じて固体撮像素子の受光面積が拡大し、撮像装置の小型化が図れないという問題がある。
【０００５】
これに対し、インターレース走査式ＣＣＤを撮像装置に用いることができないかという試みがある。インターレース走査式ＣＣＤは、全画素の信号を２回に分けて読み出すものであり、出力される信号の画素数に対して受光面積を小さくできるから、撮像装置に用いれば、そのコンパクト化と高画質化とを両立できる可能性がある。しかしながら、全画素の信号を２回に分けて読み出すためには、最初の読み出しと、後の読み出しの間に、機械式シャッタ装置を用いて固体撮像素子のの受光面に至る光束を遮る必要がある。
【０００６】
一方、固体撮像素子が高画素化すると、低画素の固体撮像素子を用いた従来の撮像装置では問題とならなかったピントのずれが顕在化してくる。これに対しては、ＡＦ機構を設けることで撮像レンズを光軸方向に移動させるようにすれば、無限遠方から数ｃｍの範囲内の被写体に対してピントを合わせることができるため、パンフォーカス式の撮像レンズ及び低画素の固体撮像素子を備えた従来の撮像装置に比べ、遙かに高画質な画像を得ることができる。
【０００７】
しかるに、一般的な民生用デジタルカメラにおいては、ＡＦ駆動のため、シャッタ機構を撮像レンズと一体で移動させているが、かかる小型の撮像装置においても同様に一体で移動させようとすると、双方の質量を考慮した上でＡＦ駆動時間を短くできるように駆動力の高いアクチュエータを用いる必要があり、それにより撮像装置の小型化が図れなくなり、又低消費電力化も図れないという問題がある。小さな電池で動作する携帯電話等に撮像装置を搭載する場合、低消費電力化を図ることは重要な課題である。更には、撮像装置を携帯電話に搭載した場合、ユーザーが携帯電話を落下させることも予想され、その場合機械式シャッタ装置と撮像レンズが一体であると、落下の衝撃に耐え得るようにＡＦ装置の剛性を高める必要があるが、それにより撮像装置の小型化が図れなくなるという問題もある。
【０００８】
本発明は、このような問題点に鑑みてなされたものであり、コンパクトな構成と耐衝撃性を兼ね備えながらも、高画質な画像を得ることができる撮像装置を提供することを目的とする。
【課題を解決するための手段】
【０００９】
請求項１に記載の撮像装置は、固体撮像素子と、鏡筒と、前記鏡筒内に移動可能に保持され、最も物体側に配置された開口絞りを含む撮像レンズと、前記撮像レンズを、前記鏡筒に対して光軸方向に駆動する駆動機構と、前記鏡筒に固定された機械式シャッタ装置と、を有することを特徴とするので、前記機械式シャッタ装置を用いることで、前記固体撮像素子としてインターレース走査式のＣＣＤを採用でき、それにより撮像装置の小型化を図れるとともに、前記機械式シャッタ装置を前記鏡筒に固定することで、前記駆動機構により駆動される前記撮像レンズ等の質量を減少させることができ、それにより前記駆動機構の小型化及び低消費電力化を図り、且つ前記撮像レンズ等の質量減少による耐衝撃性向上も期待できる。又、最も物体側に開口絞りを配置した撮像レンズを用いることで、入射瞳位置が開口絞り位置となるため、シャッタの口径を小さくすることができる。なお、シャッタの口径は画角やオートフォーカス移動量（焦点距離により異なる）に依存し、また撮像装置の光軸直交方向のサイズを決定する一因ともなる。したがってコンパクトな撮像装置を得るためには、前記撮像レンズの画角や焦点距離などの仕様を適切に設定する必要がある。
【００１０】
尚、撮像レンズの駆動としてはＡＦ駆動がある。ＡＦ駆動は、従来より知られている撮像レンズのフォーカシング方式として、近距離撮影に際して撮像レンズ全体を一体で物体側ヘ移動させる全体繰り出し方式が一般的であるが、フローティングを利用したフォーカシング方式でもよい。ここでフローティング方式とは、合焦の際２つのレンズ群が光軸方向に異なる速度で移動する方式である。フローティング方式は全体繰り出し方式よりもＡＦ機構は多少複雑化してしまうものの、全体繰り出し方式では画像の中心部にピントを合わせることは可能であるが、周辺部の像面が流れてしまうため、周辺部の画像が劣化するという問題を解決する方法である。また、複数のレンズ群のうち、１つのレンズ群のみを移動させてフォーカシングを行ってもよく、そのことによって、よりＡＦ機構の小型軽量化が可能となる。ＡＦ駆動は、別個の測距センサからの信号に基づいて行ってもよく、固体撮像素子からの画像信号を画像処理した結果に基づいて行ってもよい。
【００１１】
請求項２に記載の撮像装置は、前記機械式シャッタ装置は、前記開口絞りに隣接して、外光の通過を許容する開放位置と、外光の通過を阻止する遮蔽位置との間を移動自在なシャッタ羽根を有することを特徴とする。
【００１２】
請求項３に記載の撮像装置は、請求項１又は２に記載の発明において、前記撮像装置の光路内に、光透過率を変更する変更部材を出し入れ可能な光透過率調整手段を有することを特徴とする。
【００１３】
前記撮像装置において、前記機械式シャッタ装置は、前記撮像レンズとは別体であり、しかも撮像レンズは光軸方向に移動するから、前記機械式シャッタ装置と前記撮像レンズとの間には、ある程度の間隔が生じる。従って、前記機械式シャッタ装置を小絞りにしてＦナンバーを変化させることができないので、前記撮像レンズに入射する光の量を抑えることができず、前記固体撮像素子の画素に入射する光の量が過大となるおそれがある。そこで、本発明においては、被写体輝度が高い場合には、前記変更部材を光路内に挿入することで、適切な露光を達成できるようにしている。尚、「変更部材」としては、低い光透過率を有するＮＤフィルターに限らず、他のフィルター、例えばＵＶカットフィルター等の光学フィルターや、または焦点距離を変換するワイドコンバータレンズやテレコンバータレンズでもよい。
【００１４】
請求項４に記載の撮像装置は、請求項１乃至３のいずれかに記載の発明において、前記撮像レンズは、全てのレンズがプラスチック材料から形成されていることを特徴とする。
【００１５】
撮像レンズを構成する全てのレンズを、たとえば射出成形により製造されるプラスチックレンズで構成すると、大量生産が可能となり、また非球面の付加が容易なためレンズ性能を向上させることが可能となる。また、レンズユニットの軽量化を達成でき、駆動装置としてのＡＦアクチュエータにかかる負荷を低減することができる。一方では、外気温の変化によりプラスチック材料に屈折率変化が生ずることに起因し、像点位置が変動してしまうという問題があるが、ＡＦ機構を搭載しているので、像点位置の変動はそれほど問題にはならない。厳密には、ＡＦ機構を搭載していても可焦点距離や無限遠方にピントを固定するモード等の機能を有する撮像装置においては、像点位置の変動を補正するための別手段が必要となる。このような場合は、別途温度センサを搭載し、温度センサからの温度情報から撮像レンズと固体撮像素子の撮像面との距離を微調整する等の補正を行えばよい。また最近では、プラスチック材料中に無機微粒子を混合させ、プラスチック材料の屈折率の温度変化を小さく抑えることができることが分かってきた。詳細に説明すると、一般に透明なプラスチック材料に微粒子を混合させると、光の散乱が生じ透過率が低下するため、光学材料として使用することは困難であったが、微粒子の大きさを透過光束の波長より小さくすることにより、散乱が実質的に発生しないようにできる。プラスチック材料は温度が上昇することにより屈折率が低下してしまうが、無機粒子は温度が上昇すると屈折率が上昇する。そこで、これらの温度依存性を利用して互いに打ち消しあうように作用させることにより、屈折率変化がほとんど生じないようにすることができる。具体的には、母材となるプラスチック材料に最大長が２０ナノメートル以下の無機粒子を分散させることにより、屈折率の温度依存性のきわめて低いプラスチック材料となる。例えばアクリルに酸化ニオブ（Ｎｂ２Ｏ５）の微粒子を分散させることで、温度変化による屈折率変化を小さくすることができる。このような、無機粒子を分散させたプラスチック材料を用いることにより、撮像レンズ全系の温度変化時の像点位置の変動を小さく抑えることが可能となる。このようなプラスチック材料を用いることによって、別途温度センサを搭載する必要がなくなり、よりＡＦ機構の簡略化・小型軽量化を達成することが可能となる。またここで、「プラスチック材料から形成されている」とは、プラスチック材料を母材として、その表面に反射防止や表面硬度向上を目的としてコーティング処理を行った場合を含むものとする。
【発明を実施するための最良の形態】
【００１６】
以下、本発明の実施の形態について、図面を参照して説明する。図１は、本実施の形態にかかる撮像装置の断面図である。図１において、鏡筒１の中央には、物体側から順に、防塵カバー２，シャッタ羽根２４，開口絞り４，プラスチック製の正レンズ５，プラスチック製の負レンズ６，光学的ローパスフィルタ（物体側面に赤外線カットコートが施されている）７、インターレース走査式ＣＣＤの固体撮像素子８が配置されている。開口絞り４，正レンズ５，負レンズ６で構成される撮像レンズは、レンズ枠９に固定されている。レンズ枠９は、その外周面から光軸直交方向に延在するアーム９ａに、鏡筒１に固定したＡＦモータ（アクチュエータ）１０の出力軸であるねじ軸１０ａを螺合させている。ＡＦモータ１０が駆動されてねじ軸１０ａが回転すると、その回転量に応じて、撮像レンズはレンズ枠９と一体で光軸方向に移動可能となっている。ＡＦモータ１０とレンズ枠９とで駆動機構を構成する。
【００１７】
防塵カバー２と開口絞り４との間には、機械式シャッタ装置２０（図１では簡略図示）が配置されている。以下、機械式シャッタ装置２０について説明する。
【００１８】
図２は、被写体側から見た機械式シャッタ装置２０の平面図であり、図３〜図６は、各作動状態における羽根室内を示した平面図である。そこで、先ず、図２及び図３を用いて、本実施の形態の構成を説明する。本実施の形態は、被写体側に配置された主地板２１と撮像素子側に配置された補助地板２２によって、それらの間に羽根室を形成している。二つの地板２１，２２は、いずれも合成樹脂製であって、殆ど同じ外形をしており、それらの略中央部に形成された円形の開口部２１ａ，２２ａによって、露光開口（最大口径）を規制している。尚、図３においては、主地板２１の主な外形を二点鎖線で示しているが、この点は、図４〜図６の場合も同じである。
【００１９】
次に、主に図２を用いて主地板２１の表面側の構成を説明する。先ず、開口部２１ａを囲むようにして、鏡筒１（図１）に取り付けるために用いる三つの取付部２１ｂ，２１ｃ，２１ｄが設けられている。また、二つのモータ２３，２４が、主地板２１と一体的に成形されているフック部２１ｅ，２１ｆと、ビス２５，２６によって取り付けられている。これらのモータ２３，２４は、特開２０００−６００８８号公報などに記載のムービングマグネット型モータと称されているモータであって、その構成は周知であるため具体的な構成説明は省略するが、永久磁石製の回転子は所定の角度範囲でしか回転せず、それらから径方向へ張り出した部位に設けられている駆動ピン２３ａ，２４ａは、主地板２１に形成された長孔２１ｇ，２１ｈから羽根室内に挿入されている。
【００２０】
さらに、主地板２１の背面側の構成を説明するが、先ず、図２に示されていて図３には示されていない部位について説明する。主地板２１と補助地板２２との相互の取付け方は、主地板２１に設けられたフック部２１ｉを補助地板２２の縁に掛け、図示していないビスを、補助地板２２の背面側から補助地板２２の孔２２ｂ（図３参照）に挿入し、主地板２１の取付部２１ｊに螺合させている。そして、この取付部２１ｊは、主地板２１と補助地板２２との間のスペーサの役目もしているが、このほかにも主地板２１には専用のスペーサ２１ｋ，２１ｍ，２１ｎ，２１ｐが設けられている。
【００２１】
また、図３においては、主地板２１の背面側に設けられている部位が、上記した駆動ピン２３ａ，２４ａと共に、断面で示されている。主地板２１には、後述する各作動部材のストッパ２１ｑ，２１ｒ，２１ｓ，２１ｔが設けられている。また、主地板２１の背面側には、軸２１ｕ，２１ｖ，２１ｗが設けられている。そのうち、軸２１ｕにはシャッタ羽根２７が回転可能に取り付けられ、軸２１ｖにはシャッタ羽根２８が回転可能に取り付けられている。そして、それらのシャッタ羽根２７，２８は、シャッタ羽根２７が被写体側となるように配置されていて、それらに形成されている長孔２７ａ，２８ａには、周知のように上記の駆動ピンが嵌合している。
【００２２】
もう一つの軸２１ｗには、シャッタ羽根２８よりも補助地板２２側に配置されている絞り部材２９が回転可能に取り付けられている。光透過率調整手段である絞り部材２９は、長孔２９ａと、露光開口（開口部２１ａ，２２ａ）よりも直径の小さな円形の開口部２９ｂを有していて、その長孔２９ａには上記の駆動ピン２４ａが嵌合している。また、この絞り部材２９の背面側には、シート状のＮＤフィルタ（変更部材）３０が取り付けられていて、開口部２９ｂを覆っている。そして、そのＮＤフィルタ３０は、絞り部材２９の作動中に補助地板２２に摺接しないように、補助地板２２に形成された凹部２２ｃ内で作動するようになっている。
【００２３】
次に、図３〜図６を用いて、本実施の形態の作動を説明する。図３は初期状態すなわち開放位置を示しており、即ち、この撮像装置はノーマルオープンタイプであって、電源がオンのときは、絞り部材２９が露光開口から退避しており、シャッタ羽根２７，２８は開口絞り４（図１）を全開にしている。そのため、固体撮像素子８は被写体光にさらされており、被写体像を不図示の外部モニターで観察可能となっている。また、このとき、モータ２３，２４には通電されていないが、周知のモータ構成によって、モータ２３の回転子は反時計方向へ回転する力が付与され、モータ２４の回転子は時計方向へ回転する力が付与されている。そのため、シャッタ羽根２７，２８はストッパ２１ｑ、２１ｔに接触させられ、絞り部材２９はストッパ２１ｓに接触させられている。
【００２４】
この状態においてレリーズボタンを押すと、被写体光の測定結果に基づいて、被写体の光量を減じて撮影するか減じないで撮影するかが決定される。そして、被写体の光量を減じて撮影することに決定された場合には、モータ２４の回転子が反時計方向へ回転させられ、絞り部材２９を時計方向へ回転させる。そして、絞り部材２９は、シャッタ羽根２８に対して摺動し、その先端がストッパ２１ｒに当接して停止する。即ち、絞り部材２９は、その作動開始から停止するまで、常にシャッタ羽根２８との間に摺接関係が維持されている。このようにして停止した状態、すなわちＮＤフィルタ３０を光路内に挿入した状態が図４に示されている。このとき、モータ２４に対する通電は断たなくてもよいが、断ったとしても、周知のモータ構成によって、この状態は保たれる。尚、撮像装置の仕様によっては、レリーズによってこの状態が得られるのではなく、被写体光に応じて自動的に得られるようになっていても差し支えない。
【００２５】
このようにして、図４の状態が得られると、次に、撮像装置に撮影開始の信号が与えられる。そして、所定の撮影時間が経過すると、制御回路からモータ２３に通電され、回転子が時計方向へ回転させられる。そのため、シャッタ羽根２７，２８は相反する方向へ回転するが、このときシャッタ羽根２８は絞り部材２９に対して摺動することになる。そして、開口部２９ｂを閉鎖した後、ストッパ２１ｔ，２１ｑに当接して停止する。即ち、シャッタ羽根２８は、その作動開始から停止するまで、常に絞り部材２９との間に摺接関係が維持されている。そして、その停止状態すなわち遮蔽位置が図５に示されている。
【００２６】
その後、この閉鎖状態で画像信号が不図示の記憶装置に転送されると、あい前後してモータ２３，２４に通電される。しかし、このときには上記の場合とは異なり、電流が逆方向へ供給されるため、シャッタ羽根２７，２８と絞り部材２９は、いずれも上記とは反対方向へ回転させられるが、このときにもシャッタ羽根２８と絞り部材２９との摺接関係は、最初から最後まで維持される。そして、シャッタ羽根２７，２８はストッパ２１ｑ，２１ｔに当接し、絞り部材２９はストッパ２１ｓに当接して停止させられ、その直後に、モータ２３，２４に対する通電が断たれて図３の初期状態に復帰する。
【００２７】
本実施の形態においては、固体撮像素子がインタレース式ＣＣＤであるので、１フレームの画像に対応する画素信号を２回に分けて読み出す必要がある。そこで、合焦が完了した後所定のタイミングで、機械式シャッタ装置２０を動作させて、シャッタ羽根２７、２８を駆動し、所定の期間だけ開口絞り４を露出した後遮蔽し、再度露出する。これにより、適切な画素信号を得ることができる。このようにシャッタ羽根２７，２８が移動することで、所定の露光量で、撮像レンズ、光学的ローパスフィルタ７、固体撮像素子８のカバーガラス（平行平板）８ａを通過し、撮像面８ｂに結像された光学像は、固体撮像素子８で光電変換され、更に所定の処理を施されることで画像信号に変換されることとなる。
【００２８】
また、被写体光が比較的明るくなくて、上記のように開口部２９ｂを用いないで撮影する場合は、図３の状態において、モータ２４に通電することなく撮影を開始する。そして、所定の撮影時間が経過すると、制御回路からモータ２３に通電されて、回転子が時計方向へ回転させられる。そのため、シャッタ羽根２７，２８は相反する方向へ回転するが、このときシャッタ羽根２８は絞り部材２９に対して摺動する。そして、最後に、シャッタ羽根２７，２８は、既に説明したようにして、図６に示した状態すなわち遮蔽位置で停止させられるが、その間、シャッタ羽根２８と絞り部材２９との摺接関係は終始維持されている。従って、説明するまでもなく、その後、シャッタ羽根２７，２８は図３の状態に復帰することになるが、そのときにも、シャッタ羽根２８と絞り部材２９との摺接関係は維持されている。
【００２９】
このように、本実施の形態によれば、いかなる作動状態においても、シャッタ羽根２８の一部と絞り部材２９の一部が、常に接触状態を保ち、且つそれらの接触領域が連続的に変わっていくように構成されているので、シャッタ羽根２８と絞り部材２９が噛み合うようなことがなく、ましてや、シャッタ羽根２８の被写体側に配置されていてシャッタ羽根２８とその一部が常に接触しているシャッタ羽根２７と絞り部材２９とが噛み合ってしまうようなこともない。そのため、上記の公報に記載されているように、板部材（中間板）によって二つの羽根室に仕切る必要がないため、露光開口の近傍領域を、少なくともその板部材（中間板）の分だけ薄型化することが可能になるし、また、そのような板部材（中間板）が不要となることによって低コスト化も可能になる。
【００３０】
尚、本実施例においては、絞り部材２９に、露光開口よりも小さな口径の開口部２９ｂを形成し、それをＮＤフィルタ３０で覆うようにしているが、撮像装置の仕様によっては、ＮＤフィルタ３０を用いず開口部２９ｂを形成しただけのものであっても構わない。また、その場合、絞り部材２９に、露光開口よりも小さくて、異なる口径の複数の開口部を形成し、それをステッピングモータによって回転させて、所望の口径を選択できるようにしてもよい。また、その上に、それらの一部の開口部をＮＤフィルタで覆うようにしても差し支えないし、その場合において、ＮＤフィルタで覆う開口部が複数あるときは、同じ大きさの開口部を濃度の異なるＮＤフィルタで覆っても構わない。
【００３１】
更に、本実施例のように、絞り部材２９に開口部２９ｂを設けず、絞り部材２９をＮＤフィルタのシート材料だけで製作するようにしても差し支えない。しかし、そのように構成した場合には、光量制御部材ではあるが、もはや、絞り部材とは言えない。また、周知の絞り機構には複数の絞り羽根によって口径を制御するようにしたものがあるが、その場合であっても、一番シャッタ羽根側にある絞り羽根が、如何なる作動状態にあっても常に隣接するシャッタ羽根との摺接関係を維持しているようにすれば、本発明の目的は達成することができる。また、本実施例においては２枚のシャッタ羽根２７，２８が採用されているが、シャッタ羽根が１枚のものであっても本発明を適用することが可能である。
【００３２】
また、開口部の形状は円形である必要はなく、開口部での短辺方向・長辺方向・対角方向の画角が確保されていれば、矩形であってもよい。開口部の形状を矩形などにすることによって、シャッタ羽根の退避位置を有効に確保することができ、撮像装置の小型化につながる。また、前記撮像レンズの有効径の外側に入射する不要光を取り除く事ができるので、ゴーストやフレアの発生を抑制することが可能となる。
【００３３】
本実施の形態によれば、機械式シャッタ装置を設けることで、固体撮像素子８としてインターレース走査式のＣＣＤを採用でき、それにより撮像装置の小型化を図れるとともに、機械式シャッタ装置を鏡筒１側に固定することで、駆動機構により駆動される撮像レンズ等の質量を減少させることで、駆動機構の小型化及び低消費電力化を図り、且つ撮像レンズ等の質量減少により、撮像装置を搭載した携帯端末などを謝って落下させたような場合にも、ＡＦモータ１０等へ過大な負荷を与えることを極力抑えることができる。
【００３４】
さらに、本実施の形態の撮像装置において、機械式シャッタ装置は、撮像レンズとは別体であり、しかも撮像レンズは光軸方向に移動するから、機械式シャッタ装置と撮像レンズとの間には、ある程度の間隔が生じる。従って、機械式シャッタ装置を小絞りにしてＦナンバーを変化させることができないので、撮像レンズに入射する光の量を抑えることができず、固体撮像素子８の画素に入射する光の量が過大となるおそれがある。そこで、本発明においては、被写体輝度が高い場合には、絞り部材２９に取り付けたＮＤフィルタ３０を開口絞り４の像側の光路内に挿入することで、適切な露光を達成できるようにしている。
【００３５】
以上、本発明を実施例を参照して説明してきたが、本発明は上記実施例に限定して解釈されるべきではなく、適宜変更・改良が可能であることはもちろんである。例えば、機械式シャッタ装置は、モータでなくソレノイドなど電磁的駆動源により駆動されてもよい。
【図面の簡単な説明】
【００３６】
【図１】本実施の形態にかかる撮像装置の断面図である。
【図２】被写体側から見た機械式シャッタ装置２０の平面図である。
【図３】各作動状態における羽根室内を示した平面図である。
【図４】各作動状態における羽根室内を示した平面図である。
【図５】各作動状態における羽根室内を示した平面図である。
【図６】各作動状態における羽根室内を示した平面図である。
【符号の説明】
【００３７】
１  鏡筒
２  防塵カバー
４  鏡枠
５  正レンズ
６  負レンズ
７  ローパスフィルタ
８  固体撮像素子
９  レンズ枠
１０  ＡＦモータ
２０  機械式シャッタ装置
２７，２８  シャッタ羽根
３０  ＮＤフィルタ
【図１】
2005156649.tif 000003
【図２】
2005156649.tif 000004
【図３】
2005156649.tif 000005
【図４】
2005156649.tif 000006
【図５】
2005156649.tif 000007
【図６】
2005156649.tif 000008